(57)【要約】【課題】異なったコンテンツである複数の映像および音声を同時視聴することを実現する。【解決手段】複数のＤＶＤ２に記録されている各データストリームを信号処理部４が読み込み、デマルチプレクサ６にて主映像データ、副映像データ、音声データに分離する。分離された各主映像データはビデオバッファ７１〜７ｎにそれぞれ出力し、各チャンネルの副映像データは１つを選択してサブピクチャバッファ８１〜８ｎにそれぞれ出力し、各チャンネルの音声データは１つを選択してオーディオバッファ９１〜９ｎにそれぞれ出力する。これらのデータを対応するビデオデコーダ１０１〜１０ｎ、サブピクチャデコーダ１１１〜１１ｎ、オーディオデコーダ１２１〜１２ｎに出力し、かつデコードする。デコードした各主映像データと副映像データを１つの画像信号に合成し、この画像信号とオーディオデコーダ１２１〜１２ｎから出力された音声信号を同期させて出力する。【選択図】      図１
2005020242.tif 000002
【特許請求の範囲】
【請求項１】
主映像データと、複数チャンネル分の副映像データと、複数チャンネル分の音声データとが多重化されているマルチメディアデータが符号化され記憶されている媒体から、複数の前記マルチメディアデータを読み取る手段と、
この読み取った前記マルチメディアデータ毎に前記主映像データと、複数チャンネル分の前記副映像データと、複数チャンネル分の前記音声データとに分離する分離手段と、
分離された前記主映像データを前記マルチメディアデータ毎にバッファリングする複数の主映像のバッファリング手段と、
前記主映像のバッファリング手段からの前記主映像データを復号する複数の主映像データのデコード手段と、
分離された前記複数チャンネル分の前記副映像データから選択された１つの副映像データを前記マルチメディアデータ毎にバッファリングする複数の副映像のバッファリング手段と、
前記副映像のバッファリング手段からの前記副映像データを復号する複数の副映像データのデコード手段と、
分離された前記複数チャンネル分の前記音声データから選択された１つの音声データを前記マルチメディアデータ毎にバッファリングする複数の音声データのバッファリング手段と、
前記音声のバッファリング手段からの前記音声データを復号する複数の音声データのデコード手段と、
複数の前記主映像のデコード手段およびこれに対応する複数の前記副映像のデコード手段からの各主映像信号および各副映像信号をそれぞれ合成して１つの映像信号にして表示装置に出力する合成手段と、
前記複数の主映像のデコード手段の少なくとも２つ以上に対応する前記音声のデコード手段を選択して複数の音声出力装置に出力する選択手段とを
備えたことを特徴とする再生装置。
【請求項２】
前記複数の副映像のバッファリング手段、前記複数の音声データのバッファリング手段、および前記選択手段における選択制御を行うコントローラを更に有することを特徴とする請求項１に記載の再生装置。
【請求項３】
前記複数チャンネル分の前記副映像データから１つの副映像データの選択、又は前記複数チャンネル分の前記音声データから１つの音声データの選択は、ユーザからの選択に基づいて前記コントローラが実行することを特徴とする請求項２に記載の再生装置。
【請求項４】
前記複数チャンネル分の前記副映像データから１つの副映像データの選択、又は前記複数チャンネル分の前記音声データから１つの音声データの選択は、前記コントローラに記憶される過去の履歴情報から選択することを特徴とする請求項２に記載の再生装置。
【請求項５】
前記複数の音声出力装置の１つは、前記表示装置に内蔵される音声出力装置であることを特徴とする請求項１に記載の再生装置。
【発明の詳細な説明】
【０００１】
【発明の属する技術分野】
本発明は、再生装置に係り、特に、映像及び音声データを再生する再生装置に関する。
【０００２】
【従来の技術】
ＤＶＤ（Ｄｉｇｉｔａｌ  Ｖｅｒｓａｔｉｌｅ  Ｄｉｓｋ）−ＶＩＤＥＯフォーマットでは、記録媒体であるＤＶＤに、主映像に相当するビデオデータ、字幕などの副映像に相当するサブピクチャデータ、主映像のビデオデータに同期して再生される音声に相当するオーディオデータを多重化したマルチメディア情報のＭＰＥＧ（Ｍｏｖｉｎｇ  Ｐｉｃｔｕｒｅ  Ｅｘｐｅｒｔｓ  Ｇｒｏｕｐ）ストリームを記録することが規定されており、１本のＭＰＥＧストリームに、最大３２チャンネル分のサブピクチャデータと、最大８チャネル分のオーディオデータを多重化記録することが許容されている。
【０００３】
従来より、上記フォーマットに従って作成された映像のＤＶＤの再生では、主映像のビデオデータを再生している最中においても、ユーザの切り替え操作に従って、ビデオデータの再生を中断することなく、副映像のサブピクチャデータのチャンネルを切り替えたり（例えば、字幕の言語を切り替えたり）、オーディオデータのチャンネルを切り替えたりすることが可能である。
【０００４】
即ち、複数のサブピクチャデータ及びオーディオデータを処理するために、サブピクチャバッファ及びサブピクチャデコーダ、オーディオバッファ及びオーディオデコーダをチャネル数に応じた数を用意し、それらを用いて全てのサブピクチャデータを常にデコード処理させている。そして、デコード処理によって得られた複数の副映像信号（サブピクチャデータ）の中から、ユーザが所望するものの１つを選択し、混合回路に出力する。この混合回路では、選択された副映像信号とビデオデータをデコード処理して得られた主映像信号とが重畳され、その後、ＤＡ変換回路にてアナログ変換が行われて、ディスプレイ等に出力される。また、音声出力に関しても同様で、デコード処理して得られた複数の音声信号（オーディオデータ）の中から、ユーザが所望するものの１つを選択し、ＤＡ変換回路にてアナログ変換が行われて、スピーカから出力される。
【０００５】
【特許文献１】
特開２００３−４６９６０公報（第１５頁、図４）
【０００６】
【発明が解決しようとする課題】
このように、従来では、ユーザからのチャンネル切り換えの指示に即応して、副映像（サブピクチャデータ）の表示や音声の再生を滞らせることなく出力することは可能であった。
【０００７】
しかしながら、従来の再生装置では、１つのＤＶＤを再生するためのデコーダしか搭載されていないため、複数のＤＶＤから異なったコンテンツを同時に視聴することが出来ないという問題があった。
【０００８】
そこで発明は、複数の利用者で異なったコンテンツを同時に視聴することが出来ることを目的とする。
【０００９】
【課題を解決するための手段】
上記問題を解決するために、本発明の再生装置は、主映像データと、複数チャンネル分の副映像データと、複数チャンネル分の音声データとが多重化されているマルチメディアデータが符号化され記憶されている媒体から、複数の前記マルチメディアデータを読み取る手段と、この読み取った前記マルチメディアデータ毎に前記主映像データと、複数チャンネル分の前記副映像データと、複数チャンネル分の前記音声データとに分離する分離手段と、分離された前記主映像データを前記マルチメディアデータ毎にバッファリングする複数の主映像のバッファリング手段と、前記主映像のバッファリング手段からの前記主映像データを復号する複数の主映像データのデコード手段と、分離された前記複数チャンネル分の前記副映像データから選択された１つの副映像データを前記マルチメディアデータ毎にバッファリングする複数の副映像のバッファリング手段と、前記副映像のバッファリング手段からの前記副映像データを復号する複数の副映像データのデコード手段と、分離された前記複数チャンネル分の前記音声データから選択された１つの音声データを前記マルチメディアデータ毎にバッファリングする複数の音声データのバッファリング手段と、前記音声のバッファリング手段からの前記音声データを復号する複数の音声データのデコード手段と、複数の前記主映像のデコード手段およびこれに対応する複数の前記副映像のデコード手段からの各主映像信号および各副映像信号をそれぞれ合成して１つの映像信号にして表示装置に出力する合成手段と、前記複数の主映像のデコード手段の少なくとも２つ以上に対応する前記音声のデコード手段を選択して複数の音声出力装置に出力する選択手段とを備えたことを特徴とする。
【００１０】
【発明の実施の形態】
以下に、本発明に係る実施の形態を図１乃至図２を参照して説明する。図１は、本発明の実施の形態に係る再生装置のシステム構成図である。図２は、実施の形態に係る再生装置を表示装置に接続する場合の形態を示した図である。
【００１１】
本実施の形態に係る再生装置１は、複数のＤＶＤ２と、信号処理部４と、トラックバッファ５と、デマルチプレクサ６と、複数のビデオバッファ７１〜７ｎと、複数のサブピクチャバッファ８１〜８ｎと、複数のオーディオバッファ９１〜９ｎと、複数のビデオバッファ７１〜７ｎと対応して接続される複数のビデオデコーダ１０１〜１０ｎと、複数のサブピクチャバッファ８１〜８ｎと対応して接続される複数のサブピクチャデコーダ１１１〜１１ｎと、複数のオーディオバッファ９１〜９ｎと対応して接続される複数のオーディオデコーダ１２１〜１２ｎと、複数のビデオデコーダ１０１〜１０ｎと複数のサブピクチャデコーダ１１１〜１１ｎが接続される表示制御部１３と、この表示制御部１３と接続される映像出力端子へ接続されるＤ／Ａ変換部１５と、複数の音声出力端子へ接続される複数のＤ／Ａ変換部１６１〜１６ｍと、複数のオーディオデコーダ１２１〜１２ｎと複数のＤ／Ａ変換部１６１〜１６ｍの間に設けられる複数のセレクタ１７１〜１７ｍと、それらを制御するコントローラ３１およびコントローラ３１の制御プログラム等が記録される記録媒体３２等で構成されている。また、再生装置１の各構成要素は、コントローラ３１によって同期がとられて処理されている。
【００１２】
次に、各要素の構成を説明する。
信号処理部４は、複数のＤＶＤ２に記録されている符号化された各データストリームを読み出し、このデータストリームをデコードしてＭＰＥＧストリームを復元する。
【００１３】
トラックバッファ５は、信号処理部４から送出されたＭＰＥＧストリームを格納するバッファである。
デマルチプレクサ６は、トラックバッファ５から読み出されたＭＰＥＧストリームの中から、主映像データであるビデオデータ、副映像データであるサブピクチャデータ、音声データであるオーディオデータ毎に分別し、それぞれ、複数のビデオバッファ７１〜７ｎ、複数のサブピクチャバッファ８１〜８ｎ、複数のオーディオバッファ９１〜９ｎに順次出力する。
【００１４】
複数のビデオバッファ７１〜７ｎは、デマルチプレクサ６からの上記ビデオデータを格納する。同様に、複数のサブピクチャバッファ８１〜８ｎは、デマルチプレクサ６からの上記サブピクチャデータを格納し、複数のオーディオバッファ９１〜９ｎは、デマルチプレクサ６からの上記オーディオデータを格納する。
【００１５】
複数のビデオデコーダ１０１〜１０ｎは、対応する複数のビデオバッファ７１〜７ｎから出力されるビデオデータをデコード（復号化）する。同様に、複数のサブピクチャデコーダ１１１〜１１ｎは、対応する複数のサブピクチャバッファ８１〜８ｎから出力されるサブピクチャデータをデコードし、オーディオデコーダ１２は、対応する複数のオーディオバッファ９１〜９ｎから出力されるオーディオデータをデコードする。
【００１６】
表示制御部１３は、複数のビデオデコーダ１０１〜１０ｎから出力されるデコードされたビデオデータ、および複数のサブピクチャデコーダ１１１〜１１ｎから出力されるデコードされたサブピクチャデータを合成してＤ／Ａ変換部１５へ出力する。
【００１７】
Ｄ／Ａ変換部１５は、表示制御部１３から出力されるビデオデータとサブピクチャデータとが合成された画像データをデジタル信号からアナログ信号へ信号変換する。同様に、Ｄ／Ａ変換部１６は、複数のオーディオバッファ９１〜９ｎから出力され、セレクタ１７１〜１７ｍによって選択されたオーディオデータをデジタル信号からアナログ信号へ信号変換する。
【００１８】
複数のセレクタ１７１〜１７ｍは、複数のオーディオバッファ９１〜９ｎから出力されたデコードされたオーティオデータの１つを選択すると共に、オーティオデータのチャンネルを切り替えて出力する。
【００１９】
コントローラ３１は、記録媒体３２から読み込んだ制御用プログラムに基づいて動作し、ユーザから入力される操作コマンドに従い、再生装置１の全体を制御する。例えば、コントローラ３１は、表示装置（図示せず）に表示させる主映像や副映像のチャンネルを選択したり、音声出力装置（図示せず）に出力させる音声のチャンネルを選択したりする等のユーザの操作に対応して、表示制御部１３やセレクタ１７１〜１７ｍを制御する。
【００２０】
次に、本実施の形態に係る再生装置１において、複数のＤＶＤ２に記録されているデータストリームがどのように処理されるかを説明する。
再生装置１において、複数のＤＶＤ２に記録されている符号化された各データストリームは、まず、信号処理部４により読み出される。そして、この読み出されたデータストリームは信号処理部４にてデコードされ、ビデオデータ、各チャンネルのサブピクチャデータ、各チャンネルのオーディオデータが多重化されたデータである各ＭＰＥＧストリームに復元され、トラックバッファ５に出力される。
【００２１】
トラックバッファ５に出力された各ＭＰＥＧストリームは、ここでバッファリングされた後、デマルチプレクサ６に出力される。
本実施の形態では、複数のＤＶＤ２から同時に複数のデータストリームを処理することを可能にするために、信号処理部４での各データストリームの読み込みや各ＭＰＥＧストリームの生成は、並列処理で行われる。但し、並列処理を実行するものであれば例えば、信号処理部４を複数設けて実行する構成としても良い。但し、各データストリームの読み込みは、ビデオバッファ７１〜７ｎ、サブピクチャバッファ８１〜８ｎ、オーディオバッファ９１〜９ｎの数に限定されるため、信号処理部４が同時に読み込むことが出来るデータストリームの数は、最大でｎ個である。
【００２２】
さて、デマルチプレクサ６に出力された各ＭＰＥＧストリームは、ここで、ＭＰＥＧストリーム毎にビデオデータ、各チャンネルのサブピクチャデータ、各チャンネルのオーディオデータに分離さる。
【００２３】
そして、デマルチプレクサ６で分離されたビデオデータは、ＭＰＥＧストリーム毎にそれぞれビデオバッファ７１〜７ｎに出力される。即ち、例えば、２つのＭＰＥＧストリームが読み込まれた場合には、分離された第１のビデオデータはビデオバッファ７１に記憶され、分離された第２のビデオデータはビデオバッファ７２に出力される。
【００２４】
一方、サブピクチャデータに関しては、ビデオデータと異なり以下のように処理される。即ち、１つのＭＰＥＧストリームには、最大３２個のサブピクチャデータが記録されているものの、本実施の形態では、その中から１つのサブピクチャデータがサブピクチャバッファ８１〜８ｎの１つに記憶される。ここで、１つのサブピクチャデータを選択する手法は、例えば、ユーザの選択によりコントローラ３１が制御するようにしても良いし、過去のユーザの操作履歴情報をコントローラ３１に記憶しておき、その選択をそのまま使うことで実現しても良い。
【００２５】
その結果、分離されたサブピクチャデータの中から選ばれた１つのサブピクチャデータがＭＰＥＧストリーム毎にそれぞれサブピクチャバッファ８１〜８ｎの１つに記憶される。ここで、出力先であるサブピクチャバッファ８Ｘ（Ｘ＝１〜ｎ）はビデオバッファ７Ｘに対応する。即ち、第１のＭＰＥＧストリームのビデオデータがビデオバッファ７１に記憶されたとすると、このビデオデータに対応するサブピクチャデータはサブピクチャバッファ８１に記憶される。同様に、第２のＭＰＥＧストリームのビデオデータがビデオバッファ７２に記憶されたとすると、このビデオデータに対応するサブピクチャデータはサブピクチャバッファ８２に記憶される。
【００２６】
一方、オーディオデータに関しても、上記サブピクチャデータと同様に処理される。即ち、１つのＭＰＥＧストリームには、最大８個のオーディオデータが記憶されているが、本実施の形態では、この中から１つのオーディオデータがオーディオバッファ９１〜９ｎの１つに記憶される。ここで、１つのオーディオデータを選択する手法は、上述したサブピクチャデータの場合と同様であるため、その説明を省略する。
【００２７】
その結果、分離されたオーディオデータの中から選ばれた１つのオーディオデータが、ＭＰＥＧストリーム毎にそれぞれオーディオバッファ９１〜９ｎの１つに記憶される。ここで、出力先であるオーディオバッファ９Ｘとビデオバッファ７Ｘとが対応することは、上述したサブピクチャデータの場合と同様であるため、その説明を省略する。
【００２８】
さて、ビデオバッファ７Ｘに記憶されたビデオデータは、対応するビデオデコーダ１０Ｘに出力される。即ち、ビデオバッファ７１にバッファリングされたビデオデータはビデオデコーダ１０１に出力され、ビデオバッファ７２にバッファリングされたビデオデータはビデオデコーダ１０２に出力される。
【００２９】
ビデオデコーダ１０Ｘに出力されたビデオデータは、ここでデコード（復号化）されて主映像信号となり、その得られた各チャンネルの主映像信号は表示制御部１３に出力される。
【００３０】
一方、サブピクチャバッファ８Ｘに記憶された各チャンネルの１つのサブピクチャデータは、対応するサブピクチャデコーダ１１Ｘに出力される。ここで対応する出力先は、上記ビデオデータと同様であるため、その説明を省略する。
【００３１】
サブピクチャデコーダ１１Ｘに出力されたサブピクチャデータは、ここでデコードされて副映像信号となり、その得られた各チャンネルの１つの副映像信号は表示制御部１３に出力される。
【００３２】
表示制御部１３に出力された主映像信号と１つの副映像信号は、表示制御部１３により１つの画像信号に合成され、Ｄ／Ａ変換部１５に出力される。
Ｄ／Ａ変換部１５に出力された合成された画像信号は、ここでデジタル信号からアナログ信号へ信号変換され、映像出力端子を介して、例えば、ディスプレーなどの表示装置に出力される。
【００３３】
一方、オーディオバッファ９Ｘに記憶された各チャンネルの１つのオーディオデータは、対応するオーディオデコーダ１２Ｘに出力される。ここで対応する出力先は、上記ビデオデータの場合と同様であるため、その説明は省略する。
【００３４】
オーディオデコーダ１２Ｘに出力されたオーディオデータは、ここでデコードされて音声信号となり、その得られた各チャンネルの１つの音声信号はセレクタ１７Ｙ（Ｙ＝１〜ｍ）に出力される。
【００３５】
ここで、出力先であるセレクタ１７Ｙは、ユーザによって任意に選択される。例えば、オーディオデコーダ１２１にてデコードされた音声信号は、必ずしも、セレクタ１７１に出力されるわけではなく、ユーザの選択により、セレクタ１７２、あるいは、セレクタ１７ｍに出力されることもある。
【００３６】
また、セレクタ１７１〜１７ｎの数（Ｙ）は、オーディオデコーダ１２１〜１２ｎの数（Ｘ）と等しくてもよいが、これよりも少なくてもよい。従って、少ない場合には、オーディオデコーダ１２１〜１２ｎからの全チャンネルの音声信号がセレクタ１７１〜１７ｍから出力されるわけではなく、ユーザに選択されたチャンネルのみがセレクタ１７１〜１７ｍから出力される。
【００３７】
更に、ユーザによる選択は、主映像に対応する音声信号が選択されることが多いと考えられるため、ユーザによる主映像の選択に応じて、選択されなかった主画像に対応する音声データは選択できないように制限される構成にしてもよい。
【００３８】
セレクタ１７１〜１７ｍから選択出力された音声信号は、Ｄ／Ａ変換部１６１〜１６ｍに出力される。ここで、出力先であるＤ／Ａ変換部１６Ｙは、セレクタ１７Ｙに対応する。
【００３９】
Ｄ／Ａ変換部１６１〜１６ｍに出力された音声信号は、ここでデジタル信号からアナログ信号へ信号変換され、音声出力端子を介し、例えば、スピーカなどの音声出力装置から出力される。
【００４０】
尚、上記実施の形態では複数のＤＶＤ２からの映像および音声を再生するとしたが、その記録媒体としては磁気ディスク３であっても良い。
以上説明した実施の形態によれば、複数の映像だけでなく、複数の音声の出力も可能となる。従って、複数の利用者がそれぞれの所望するコンテンツを同時に視聴することが可能となる。また、１つの表示装置が１つの音声出力の機能のみしか有していない場合でも、別の音声出力装置を用意することで、複数の映像と複数の音声を同時に視聴することが可能となる。
【００４１】
ところで、上述した表示制御部１３の映像の合成処理は、ユーザにより選択された映像を、間引き技術や縮小技術、あるいはスケーリング等の既存の画像処理手法を用いて、複数の映像が１つの映像になるように処理される。
【００４２】
ここで、ユーザによる映像の選択とは、以下のように行われる。即ち、ビデオデコーダ１０１〜１０ｎ、及びサブピクチャデコーダ１１１〜１１ｎに入力された複数のビデオデータと、それに対応する複数のサブピクチャデータの中から、ｍ個（ｍ≦Ｘ）が選ばれることである。
【００４３】
この選択は、コントローラ３１を用いて、ユーザ自身が任意に選ぶ構成にしてもよいし、また、これに限る必要はなく、表示制御部１３が状況に応じ自動的に各チャンネルのビデオデータやサブピクチャデータを選択するようにしてもよい。ここで「自動的に」とは、例えば、再生装置１が、過去のユーザの操作を記憶しておき、その選択をそのまま使うことでも良いし、再生装置１に設定されている国コードを利用して、ｍ個の選択をできるようにする構成にしてもよい。
【００４４】
例えば、再生装置１に日本国のコードが設定されている場合は、サブピクチャデータとして、日本語の字幕のサブピクチャデータ及び日本語の音声データを最優先で自動的に選択するようにしてもよい。
【００４５】
以上のような構成にすることで、複数の映像を１つの画面で表示されている際に、それぞれの映像に対応する音声の中から、利用者が所望するものをフレキシブルに切り換えて視聴することが可能になる。
【００４６】
図２は、本実施の形態に係る再生装置１を表示装置２５に接続した一例を示した図である。ここで、再生装置１には、画像出力端子２０が設けられており、音声出力の端子として音声出力端子２１と２２の２系統が設けられている。また、画像表示装置２５には、１つの画像入力端子２５１と１系統の音声入力端子２５２が設けられている。図２の場合では、ユーザが４つの主映像を選択しており、画像表示装置２５には主映像の画像ａ，ｂ，ｃ，ｄが１つの画面に合成され表示されている。
【００４７】
図２における再生装置１は、音声出力用の端子が音声出力端子２１及び２２の２系統しか装備されていないため、同時に上記４種類の映像ａ、ｂ、ｃ、ｄに対応する音声を同時出力することは出来ないが、音声出力端子２１から出力される音声信号を画像表示装置２５の音声入力端子２５２に、音声出力端子２２から出力される音声信号を別の音声出力装置（図示せず）の音声入力端子に入力することにより、同時に２種類の音声を出力することが可能である。
【００４８】
また、２種類の音声出力に関しては、固定されたものではなく、図１のオーディオデコーダ１２１〜１２ｎにて、各映像に対応する音声のデコード処理を常に行っているため、ユーザの操作によって、セレクタ１７１〜１７ｍによる音声出力の選択を切り換えることにより、４種類の音声のうち、所望する２種類の音声が滞ることなく、同時に出力することが可能となる。
【００４９】
尚、図２のように、複数の映像を同時に画面表示する際には、音声出力端子か出力されている音声データがどの映像に対応しているのかをユーザに理解させるため、対応する主映像の右上部分に点表示をさせることや、当該映像の枠を特定の色で囲むような表示にすることで、視覚的に識別できる手法を採用した構成としてもよい。
【００５０】
【発明の効果】
以上、本発明によれば、複数の映像及び音声データを同時に再生及び出力することが可能になり、利用者がそれぞれの所望するコンテンツを同時に視聴することが出来る。
また、複数の映像を１つの画面で表示されている際に、それぞれの映像に対応する複数の音声の中から、利用者が所望する複数の音声をフレキシブルに切り換えて視聴することが可能になる。
【図面の簡単な説明】
【図１】本発明の実施の形態に係る再生装置のシステム構成図
【図２】本発明の実施の形態に係る再生装置と表示装置の接続の一例を示した図。
【符号の説明】
１  再生装置
２  ＤＶＤ
３  磁気ディスクＨＤ
４  信号処理部
５  トラックバッファ
６  デマルチプレクサ
７１〜７ｎ  ビデオバッファ
８１〜８ｎ  サブピクチャバッファ
９１〜９ｎ  オーディオバッファ
１０１〜１０ｎ  ビデオデコーダ
１１１〜１１ｎ  サブピクチャデコーダ
１２１〜１２ｎ  オーディオデコーダ
１３  表示制御部
１５，１６１〜１６ｍ  Ｄ／Ａ変換部
１７１〜１７ｍ  セレクタ１７
２０  画像出力端子
２１，２２  音声出力端子
２５  画像表示装置
２５１  画像入力端子
２５２  音声入力端子
【図１】
2005020242.tif 000003
【図２】
2005020242.tif 000004